(57)【要約】【課題】ＴＤＭＡ方式の受信装置で、制御用のプロセッサに負担を掛けずにＬＣＣＨスチール受信を行う。【解決手段】ＬＣＣＨタイミング部３０からのタイミング信号ＴＭ３に従って制御チャネル用のＵＷ期待値を設定してＵＷを検出するＵＷ検出部１０、ＵＷ検出信号ＤＥＴに従ってフレームのタイミング信号ＴＭ１を出力するフレーム・タイミング部２０、タイミング信号ＴＭ１をカウントしてＵＷ検出部１０に対するタイミング信号ＴＭ３とＰＬＬ制御部４０に対するタイミング信号ＴＭ５を出力するＬＣＣＨタイミング部３０、及びタイミング信号ＴＭ５に従ってＰＬＬ２に対するチャネル設定信号ＣＨを選択して出力するＰＬＬ制御部４０を、すべてハードウエア回路で構成する。これにより、これらの処理をソフトウエアで行うことなく、ＬＣＣＨスチール受信が可能になる。【選択図】図１
2008154191.tif 000002
【特許請求の範囲】
【請求項１】
基地局との間で制御用のチャネルと通信用のチャネルを使用して時分割多元接続方式で無線通信を行う移動局の受信装置において、
基地局から送信される信号をチャネル設定信号に従って受信して復調し、受信データを出力する復調部と、
第１の選択信号に従って制御用と通信用の同期パターンを切り換え、該切り換えられた同期パターンと同一パターンが前記受信データ中に現れたときに検出信号を出力するユニークワード検出部と、
前記検出信号に同期して一定のフレーム周期で第１及び第２のタイミング信号を周期的に出力するフレーム・タイミング部と、
前記第１のタイミング信号をカウントするカウンタ、該カウンタのカウント値が０か否かに応じて前記第１の選択信号を出力する０検出回路、該カウント値がレジスタに設定された値を超えたときに該カウンタを０にリセットする比較回路、及び該カウント値が該レジスタに設定された値に一致したときに第２の選択信号を出力する一致検出回路を有する制御チャネルタイミング部と、
前記第２の選択信号に基づいて前記制御用のチャネルまたは前記通信用のチャネルを選択するセレクタ、及び該セレクタで選択されたチャネルを前記第２のタイミング信号で保持して前記チャネル設定信号として前記復調部に与えるチャネル制御部とを、
備えたことを特徴とする受信装置。
【請求項２】
前記制御チャネルタイミング部は、前記制御用のチャネルを強制的に受信させるための信号が与えられているときは、前記ユニークワード検出部から前記検出信号が出力される度に前記カウンタを０にリセットするように構成したことを特徴とする請求項１記載の受信装置。
【請求項３】
基地局との間で制御用のチャネルと通信用のチャネルを使用して時分割多元接続方式で無線通信を行う移動局の受信装置において、
基地局から送信される信号をチャネル設定信号に従って受信して復調し、受信データを出力する復調部と、
第１の選択信号に従って制御用と通信用の同期パターンを切り換え、該切り換えられた同期パターンと同一パターンが前記受信データ中に現れたときにユニークワード検出信号を出力するユニークワード検出部と、
前記受信データ中に周期的に受信される所定の情報を検出したときに情報検出信号を出力する周期情報検出部と、
選択信号に基づいて前記ユニークワード検出信号または前記情報検出信号を選択し、検出信号として出力する選択部と、
前記検出信号に同期して一定のフレーム周期で第１及び第２のタイミング信号を周期的に出力するフレーム・タイミング部と、
前記第１のタイミング信号をカウントするカウンタ、該カウンタのカウント値が０か否かに応じて前記第１の選択信号を出力する０検出回路、該カウント値がレジスタに設定された値を超えたときに該カウンタを０にリセットする比較回路、及び該カウント値が該レジスタに設定された値に一致したときに第２の選択信号を出力する一致検出回路を有する制御チャネルタイミング部と、
前記第２の選択信号に基づいて前記制御用のチャネルまたは前記通信用のチャネルを選択するセレクタ、及び該セレクタで選択されたチャネルを前記第２のタイミング信号で保持して前記チャネル設定信号として前記復調部に与えるチャネル制御部とを、
備えたことを特徴とする受信装置。
【請求項４】
前記制御チャネルタイミング部は、前記制御用のチャネルを強制的に受信させるための信号が与えられているときは、前記選択部から前記検出信号が出力される度に前記カウンタを０にリセットするように構成したことを特徴とする請求項３記載の受信装置。
【発明の詳細な説明】
【技術分野】
【０００１】
本発明は、ＴＤＭＡ(Time  Division  Multiple  Access：時分割多元接続)方式を用いた無線通信システムにおける受信装置、特にパケットデータの通信中に一定周期で制御チャネルを受信するための制御に関するものである。
【背景技術】
【０００２】
ＰＨＳ(Personal  Handyphone  System)と呼ばれる簡易型携帯電話システムでは、ＴＤＭＡ方式によって基地局と移動局の間で、接続毎に指定されたサービスチャネル（通信チャネル）を用いて５ｍｓを１フレームとするパケットデータの送受信が行われる。また、基地局からは、専用の論理制御チャネル（以下、「ＬＣＣＨ」という）を用いて、Ｎ（例えば、Ｎ＝２０）フレーム周期（以下、これを「ＬＣＣＨ周期」と呼ぶ）で無線チャネル情報報知信号(以下、単に「報知信号」という)が送信される。
【０００３】
下記特許文献１には、パケット通信中にＬＣＣＨによる報知信号を受信（以下、「ＬＣＣＨスチール受信」と呼ぶ）することができる受信回路が開示されている。
【０００４】
図２は、特許文献１に記載された従来の受信回路におけるパケット通信中のＬＣＣＨスチール受信の設定タイミング図である。
【０００５】
図２に示すように、パケットデータの受信中にＬＣＣＨスチール受信をする場合、ＬＣＣＨ周期毎に、サービスチャネルからＬＣＣＨへの周波数の切り換えと、ユニークワード（以下、「ＵＷ」という）と呼ばれる同期パターンの期待値の切換を行う必要がある。このために、パケットデータＴＣＨを５ｍｓ周期で受信中に、ＬＣＣＨ周期で報知情報ＣＣＨを受信するためにＬＣＣＨスチールカウンタを設け、このＬＣＣＨスチールカウンタをソフトウエアでカウントするようにしている。
【０００６】
ＬＣＣＨスチールカウンタの値がＮ−１になると、次のフレームでＬＣＣＨを受信するために、受信周波数とＵＷ期待値をＬＣＣＨに対応したものに切り換える。そして、図２の時刻Ｔ１から始まるフレームでＬＣＣＨのＵＷを検出すると、ＬＣＣＨスチールカウンタの値を０にクリアする。
【０００７】
次の５ｍｓ後には、サービスチャネルを受信するために、受信周波数とＵＷ期待値を対応するサービスチャネルに対応したものに切り換える。そして、時刻Ｔ２から始まる次のフレームでサービスチャネルのＵＷを検出すると、ＬＣＣＨスチールカウンタの値を増加して１とする。その後、サービスチャネルのＵＷを検出する度に、ＬＣＣＨスチールカウンタの値を１ずつ増加する。
【０００８】
そして、ＬＣＣＨスチールカウンタの値がＮ−１になると、再び、次の時刻Ｔ３から始まるフレームでＬＣＣＨを受信するために、受信周波数とＵＷ期待値をＬＣＣＨに対応したものに切り換える。このような動作を行うことにより、ＬＣＣＨによる報知信号の受信の間を利用して、通信データを受信することができるとされている。
【０００９】
【特許文献１】特許第３７９３７２４号公報
【発明の開示】
【発明が解決しようとする課題】
【００１０】
しかしながら、前記特許文献１に記載された受信回路では、ＬＣＣＨ周期毎に受信周波数とＵＷ期待値の設定、及びＬＣＣＨスチールカウンタの０クリアを、ソフトウエアで行っているため、制御用のプロセッサの処理に負担が掛かり、本来の送受信制御処理に影響が生ずるおそれがあるという課題が有った。
【００１１】
本発明は、制御用のプロセッサに負担を掛けずにＬＣＣＨスチール受信を行うことができるＴＤＭＡ方式の受信装置を提供することを目的としている。
【課題を解決するための手段】
【００１２】
本発明は、基地局との間で制御用のチャネルと通信用のチャネルを使用してＴＤＭＡ方式で無線通信を行う移動局の受信装置において、基地局から送信される信号をチャネル設定信号に従って受信して復調し、受信データを出力する復調部と、第１の選択信号に従って制御用と通信用の同期パターンを切り換え、該切り換えられた同期パターンと同一パターンが前記受信データ中に現れたときに検出信号を出力するＵＷ検出部と、前記検出信号に同期して一定のフレーム周期で第１及び第２のタイミング信号を周期的に出力するフレーム・タイミング部と、前記第１のタイミング信号をカウントするカウンタ、該カウンタのカウント値が０か否かに応じて前記第１の選択信号を出力する０検出回路、該カウント値がレジスタに設定された値を超えたときに該カウンタを０にリセットする比較回路、及び該カウント値が該レジスタに設定された値に一致したときに第２の選択信号を出力する一致検出回路を有する制御チャネルタイミング部と、前記第２の選択信号に基づいて前記制御用のチャネルまたは前記通信用のチャネルを選択するセレクタ、及び該セレクタで選択されたチャネルを前記第２のタイミング信号で保持して前記チャネル設定信号として前記復調部に与えるチャネル制御部とを備えたことを特徴としている。
【発明の効果】
【００１３】
本発明では、ＴＤＭＡのＬＣＣＨ周期毎にＵＷ期待値を設定するＵＷ検出部、ＬＣＣＨスチール用のカウンタの０クリアを行う制御チャネルタイミング部、及び受信周波数の設定を行うチャネル制御部のハードウエア回路を備えている。これにより、これらの処理をソフトウエアで行う必要がなくなり、制御用のプロセッサに負担を掛けずにＬＣＣＨスチール受信を行うことができる、という効果がある。
【発明を実施するための最良の形態】
【００１４】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００１５】
図１は、本発明の実施例１を示す受信装置の概略の構成図で、ＰＨＳにおける移動局の受信部の一部を示している。
【００１６】
この受信装置は、図示しないアンテナで受信した無線信号ＲＦを受信信号ＲＳに変換する周波数変換部（ＭＩＸ）１を有している。周波数変換部１は、無線信号ＲＦとＰＬＬ（Phase  Locked  Loop：位相固定ループ）２等の局部発振回路で生成された局部発振信号ＬＯを混合することによって、所望チャネルの受信信号ＲＳを出力するものである。受信信号ＲＳは、復調部（ＤＥＭ）３に与えられ、受信データＲＤと受信クロックＲＣが再生されるようになっている。これらの受信データＲＤと受信クロックＲＣは、図示しない通信処理制御部に与えられている。
【００１７】
更に、この受信装置は、ＵＷ検出部１０、フレーム・タイミング部２０、ＬＣＣＨタイミング部３０及びＰＬＬ制御部４０を備えている。
【００１８】
ＵＷ検出部１０は、受信データＲＤと受信クロックＲＣに従ってパケットデータ中の同期パターンを検出するもので、受信データＲＤを受信クロックＲＣに従って順次シフトして保持し、並列に出力するシフトレジスタ１１を有している。また、このＵＷ検出部１０は、ＬＣＣＨ用のユニークワードＣＵＷを設定するためのレジスタ１２と、サービスチャネル用のユニークワードＴＵＷを設定するためのレジスタ１３を有している。レジスタ１２，１３は、セレクタ（ＳＥＬ）１４に接続されており、論理和ゲート(以下、「ＯＲ」という)１５から与えられるＵＷ選択信号Ｓ１５によって、いずれか一方が選択されるようになっている。なお、ＯＲ１５は、強制的にＬＣＣＨを選択するためのＬＣＣＨ指定信号ＣＳＬと後述するＬＣＣＨタイミング部３０からのタイミング信号ＴＭ３の論理和を、ＵＷ選択信号Ｓ１５として出力するものである。
【００１９】
セレクタ１４の出力信号は、シフトレジスタ１１から並列に出力される信号と共に一致検出回路１６に与えられている。一致検出回路１６は、例えば、シフトレジスタ１１とセレクタ１４の出力信号を対応するビット毎に比較する複数の否定的排他的論理ゲート（以下、「ＥＮＯＲ」という）、これらのＥＮＯＲの出力信号の論理積をとる論理積ゲート(以下、「ＡＮＤ」という)で構成されている。そして、シフトレジスタ１１に保持された受信データＲＤが、ＵＷ選択信号Ｓ１５に従ってセレクタ１４で選択されたＵＷと一致したときに、ＡＮＤからＵＷ検出信号ＤＥＴが出力されるようになっている。
【００２０】
フレーム・タイミング部２０は、ＵＷ検出信号ＤＥＴに基づいて５ｍｓの１フレーム内でのタイミング信号を生成するもので、クロック信号ＣＬＫをカウントするカウンタ（ＣＮＴ）２１を有している。カウンタ２１のカウント値Ｃ２１は、検出回路２２，２３，２４に与えられている。
【００２１】
検出回路２２は、カウント値Ｃ２１に従ってＬＣＣＨタイミング部３０に対するフレームカウント用のタイミング信号ＴＭ１を出力するものである。検出回路２３は、カウント値Ｃ２１に従ってＰＬＬ制御部４０に対するタイミング信号ＴＭ２を出力するものである。検出回路２４は、カウント値Ｃ２１が５ｍｓに相当する値に達したときにタイムアウト信号ＴＯを出力するものである。
【００２２】
タイムアウト信号ＴＯは、ＵＷ検出部１０から出力されるＵＷ検出信号ＤＥＴと共にＯＲ２５に与えられ、このＯＲ２５の出力信号がカウンタ２１のリセット端子Ｒに与えられている。
【００２３】
ＬＣＣＨタイミング部３０は、フレーム・タイミング部２０から与えられるタイミング信号ＴＭ１をカウントし、そのカウント値に基づいてＬＣＣＨ周期内での各種のタイミング信号を生成するもので、このタイミング信号ＴＭ１をカウントするカウンタ３１を有している。カウンタ３１のカウント値Ｃ３１は、０検出回路３２、比較回路（ＣＭＰ）３３及び一致検出回路３４に与えられている。
【００２４】
０検出回路３２は、カウント値Ｃ３１が０である時に、タイミング信号ＴＭ３を出力するものである。比較回路３３は、カウント値Ｃ３１がレジスタ３５に設定された値Ｎ（即ち、１ＬＣＣＨ周期のフレーム数）以上のときに、タイミング信号ＴＭ４を出力するものである。一致検出回路３４は、カウント値Ｃ３１がレジスタ３６に設定された値Ｎ−１と一致したときに、タイミング信号ＴＭ５を出力するものである。
【００２５】
タイミング信号ＴＭ３は、ＵＷ検出部１０から出力されるＵＷ検出信号ＤＥＴと共にＡＮＤ３７に与えられている。ＡＮＤ３７の出力信号は、タイミング信号ＴＭ４と共にＯＲ３８に与えられ、このＯＲ３８の出力信号が、カウンタ３１のリセット端子Ｒに与えられている。
【００２６】
ＰＬＬ制御部４０は、ＰＬＬ２に対するチャネル設定信号ＣＨを出力するもので、ＬＣＣＨに対応するチャネル設定信号ＣＣＨが設定されるレジスタ４１と、サービスチャネルに対応するチャネル設定信号ＴＣＨが設定されるレジスタ４２を有している。レジスタ４１，４２は、セレクタ４３に接続されており、ＯＲ４４から与えられるチャネル選択信号Ｓ４４によって、いずれか一方が選択されるようになっている。ＯＲ４４は、ＬＣＣＨ指定信号ＣＳＬとＬＣＣＨタイミング部３０からのタイミング信号ＴＭ５の論理和をチャネル選択信号Ｓ４４として出力するものである。
【００２７】
セレクタ４３の出力側には、ラッチ（ＬＡＴ）４５が接続されている。ラッチ４５は、フレーム・タイミング部２０から与えられるタイミング信号ＴＭ２に従ってセレクタ４３の出力信号を保持し、チャネル設定信号ＣＨとしてＰＬＬ２に与えるものである。
【００２８】
なお、レジスタ１２，１３，３５，３６は、図示しない通信処理制御部から適用するシステムに応じて初期設定されるようになっている。また、レジスタ４１，４２は、通信チャネルの割り当て状況に応じて、通信処理制御部から随時設定されるようになっている。
【００２９】
図３は、図１の動作を示す信号波形図である。以下、この図３を参照しつつ、図１の動作を説明する。
【００３０】
移動局に電源が投入されて各レジスタに対する初期設定が行われる。ここでは、Ｎ＝３とする。更に、受信装置では基地局からのＬＣＣＨを受信するために、ＬＣＣＨ指定信号ＣＳＬをレベル“Ｈ”に設定する。これにより、ＵＷ選択信号Ｓ１５とチャネル選択信号Ｓ４４は共に“Ｈ”となり、ＵＷ検出部１０のセレクタ１４ではレジスタ１２に設定されたＬＣＣＨ用のユニークワードＣＵＷが選択される。
【００３１】
また、ＰＬＬ制御部４０のセレクタ４３では、レジスタ４１に設定されたＬＣＣＨ用のチャネル設定信号ＣＣＨが選択される。更に、フレーム・タイミング部２０から５ｍｓ毎に周期的に出力されるタイミング信号ＴＭ２により、セレクタ４３の出力信号はラッチ４５に保持され、ＰＬＬ２に対してチャネル設定信号ＣＨとして与えられる。これにより、周波数変換部１からは、ＬＣＣＨの報知信号が受信信号ＲＳとして出力され、復調部３で受信データＲＤとして復調される。
【００３２】
受信データＲＤは受信クロックＲＣと共にＵＷ検出部１０に与えられ、順次シフトレジスタ１１にシフトして保持される。シフトレジスタ１１に保持されて並列に変換された受信データＲＤは、一致検出回路１６に与えられ、セレクタ１４で選択されたＬＣＣＨ用のユニークワードＣＵＷと比較される。そして、シフトレジスタ１１に保持された受信データＲＤのパターンがユニークワードＣＵＷに一致したときに、一致検出回路１６から出力されるＵＷ検出信号ＤＥＴが“Ｈ”となる。次の受信クロックＲＣでシフトレジスタ１１に保持された受信データＲＤが１ビットシフトされると、ＵＷ検出信号ＤＥＴはレベル“Ｌ”に戻る。
【００３３】
ＵＷ検出信号ＤＥＴが“Ｈ”になると、フレーム・タイミング部２０のカウンタ２１がリセットされ、そのカウント値Ｃ２１は０となる。そして、ＵＷ検出信号ＤＥＴが“Ｌ”に戻ると、カウンタ２１は、クロック信号ＣＬＫに従ってカウント動作を開始する。カウンタ２１のカウント値Ｃ２１は、検出回路２２〜２４によって監視される。検出回路２４では、カウント値Ｃ２１が５ｍｓに相当する値になるとタイムアウト信号ＴＯを“Ｈ”にする。これにより、カウンタ２１は、ＵＷ検出信号ＤＥＴが与えられたときにはそのタイミングで、またＵＷ検出信号ＤＥＴが与えられなくても５ｍｓ毎に必ずリセットされる。
【００３４】
一方、検出回路２２は、カウント値Ｃ２１が次のフレームを受信する直前のタイミング（例えば、４．３ｍｓに相当する値）になったときに、タイミング信号ＴＭ１をＬＣＣＨタイミング部３０に出力する。また、検出回路２３は、カウント値Ｃ２１が次のフレームの受信のためにＰＬＬ２に対するチャネル設定信号ＣＨを与えるタイミング（例えば、４ｍｓに相当する値）になったときに、タイミング信号ＴＭ２を出力する。
【００３５】
ＬＣＣＨタイミング部３０では、タイミング信号ＴＭ１が与えられる度に、カウンタ３１のカウント値Ｃ３１が１ずつカウントアップされる。カウント値Ｃ３１がＮ（本例では、３）に達すると、比較回路３３から出力されるタイミング信号ＴＭ４が“Ｈ”となる。これにより、カウンタ３１はＯＲ３８を介してリセットされ、そのカウント値Ｃ３１は直ちに０に戻る。従って、カウンタ３１は、タイミング信号ＴＭ１に同期して、０からＮ−１までの間で繰り返してカウントアップ動作を行う。
【００３６】
一方、０検出回路３２は、カウント値Ｃ３１が０であるときに、タイミング信号ＴＭ３を“Ｈ”にして出力する。タイミング信号ＴＭ３が“Ｈ”となることにより、ＵＷ検出部１０のＯＲ１５から出力されるＵＷ選択信号Ｓ１５は“Ｈ”となり、このＵＷ検出部１０ではＬＣＣＨ用のユニークワードＣＵＷによるＵＷ検出動作が行われる。更に、タイミング信号ＴＭ３が“Ｈ”の期間に、ＵＷ検出部１０からＵＷ検出信号ＤＥＴが出力されると、ＡＮＤ３７の出力信号が“Ｈ”となり、ＯＲ３８を介してカウンタ３１はリセットされる。
【００３７】
また、一致検出回路３４は、カウント値Ｃ３１がＮ−１（本例では、２）のときに、タイミング信号ＴＭ５を“Ｈ”にして出力する。タイミング信号ＴＭ５が“Ｈ”になることにより、ＰＬＬ制御部４０のＯＲ４４から出力されるチャネル選択信号Ｓ４４が“Ｈ”となり、レジスタ４１に設定されたＬＣＣＨ用のチャネル設定信号ＣＣＨがセレクタ４３で選択される。そして、フレーム・タイミング部２０から出力されるタイミング信号ＴＭ２により、セレクタ４３の出力信号はラッチ４５に保持され、ＰＬＬ２に対してチャネル設定信号ＣＨとして与えられる。これにより、周波数変換部１によってＬＣＣＨの報知信号が選択されて受信信号ＲＳとして出力され、復調部３から受信データＲＤが出力される。
【００３８】
通信処理制御部は、ＬＣＣＨの報知信号として受信した受信データＲＤに従い、基地局との間でのリンクチャネルの確立処理と、サービスチャネル確立処理を行う。更に通信処理制御部は、確立されたサービスチャネルに対応するチャネル設定信号ＴＣＨを、ＰＬＬ制御部４０のレジスタ４２に設定する。
【００３９】
ＬＣＣＨタイミング部３０のカウンタ３１は、フレーム・タイミング部２０の検出回路２３から出力されるタイミング信号ＴＭ１に従ってカウントアップする。そして、カウンタ３１のカウント値Ｃ３１がＬＣＣＨ周期に達したときに、比較回路３３からタイミング信号ＴＭ４が出力され、このカウンタ３１はリセットされる。
カウンタ３１のカウント値Ｃ３１が０のとき、即ちＬＣＣＨ受信期間を示すタイミング信号ＴＭ３が“Ｈ”のとき、ＵＷ検出部１０ではＬＣＣＨ用のユニークワードＣＵＷが選択される。また、それ以外のタイミングでは、サービスチャネル用のユニークワードＴＵＷが選択される。
【００４０】
また、カウンタ３１のカウント値Ｃ３１が２、即ちＬＣＣＨ周期よりも１だけ少ないことを示すタイミング信号ＴＭ５が“Ｈ”のとき、ＰＬＬ制御部４０ではＬＣＣＨ用のチャネル設定信号ＣＣＨが選択される。また、それ以外のタイミングでは、サービスチャネル用のチャネル設定信号ＴＣＨが選択される。
【００４１】
以上のように、この実施例１の受信装置は、フレーム・タイミング部２０から５ｍｓのフレーム毎に出力されるタイミング信号ＴＭ１をカウントすることによってＬＣＣＨのタイミングを検出し、その検出したタイミング信号ＴＭ３，ＴＭ４によってＵＷ期待値と受信周波数を自動的に切り換えるＵＷ検出部１０及びＰＬＬ設定部４０を有している。これにより、制御用のプロセッサに負担を掛けずにＬＣＣＨスチール受信を行うことができるという利点がある。
【実施例２】
【００４２】
図４は、本発明の実施例２を示す受信装置の概略の構成図で、図１中の要素と共通の要素には共通の符号が付されている。この受信装置は、図１と同様にＰＨＳにおける移動局の受信部で、図１の受信装置に同期タイミング選択用の選択部（セレクタ）５０を追加したものである。
【００４３】
選択部５０は、ＵＷ検出部１０から出力されるＵＷ検出信号ＵＤＥＴ、または図示しないその他の周期情報検出部から周期的に出力される検出信号ＤＥＴ１，ＤＥＴ２の内の１つを、図示しない通信処理制御部から与えられる選択信号ＳＥＬに従って選択し、検出信号ＤＥＴとしてフレーム・タイミング部２０とＬＣＣＨタイミング部３０に与えるものである。
【００４４】
なお、周期情報検出部としては、例えば受信データＲＤで通知されるＣＳＩＤ（Cell  Station  Identification：基地局識別番号）データを検出してＣＳＩＤ一致信号を生成するＣＳＩＤ一致検出部や、受信したＣＲＣ（Cyclic  Redundancy  Check：巡回冗長符号チェック）によるチェック結果を出力するＣＲＣ検出部等がある。これらのＣＳＩＤ一致検出部やＣＲＣ検出部から出力される検出信号ＤＥＴ１，ＤＥＴ２は、１フレームに１度だけ周期的に出力される信号である。その他の構成は、図１と同様である。
【００４５】
この実施例２の受信装置では、フレーム・タイミング部２０とＬＣＣＨタイミング部３０の動作が、通信処理制御部から与えられる選択信号ＳＥＬに従って選択されたＵＷ検出信号ＵＤＥＴ、またはその他の検出信号ＤＥＴ１，ＤＥＴ２のタイミングに基づいて行われる他は、実施例１と同じであり同様の利点がある。
【００４６】
更に、この実施例２の受信装置では、選択部５０を設けることによって選択信号ＳＥＬに従って検出信号ＤＥＴを切り換えることができるので、例えばＵＷ検出信号ＵＤＥＴが検出できなくなった場合に、ＣＳＩＤ一致信号やＣＲＣ検出信号を使用して通信を継続することができるという利点がある。
【実施例３】
【００４７】
図５は、本発明の実施例３を示すＬＣＣＨタイミング部の構成図である。
このＬＣＣＨタイミング部３０Ａは、図１または図４中のＬＣＣＨタイミング部３０に代えて設けられるもので、図１中の要素と共通の要素には共通の符号が付されている。
【００４８】
このＬＣＣＨタイミング部３０Ａでは、ＬＣＣＨスチール受信を行うか否かを図示しない通信処理制御部から随時設定できるようにしたもので、０検出回路３２の出力側とＡＮＤ３７の間に２入力のＯＲ３９ａとインバータ３９ｂを挿入している。そして、ＯＲ３９ａの一方の入力側にタイミング信号ＴＭ３を与え、他方の入力側には、通信処理制御部から出力されるスチールオン信号ＳＯＮをインバータ３９ｂで反転して与えている。その他の構成は、図１と同様である。
【００４９】
このＬＣＣＨタイミング部３０Ａでは、スチールオン信号ＳＯＮが“Ｈ”のときは、インバータ３９ｂの出力信号は“Ｌ”となるので、図１のＬＣＣＨタイミング部３０と全く同一の動作が行われる。
【００５０】
一方、スチールオン信号ＳＯＮが“Ｌ”のときは、０検出回路３２から出力されるタイミング信号ＴＭ３とは無関係に、ＯＲ３９ａの出力信号が“Ｈ”となる。これにより、ＵＷ検出部１０からＵＷ検出信号ＤＥＴが出力される度に、カウンタ３１がリセットされる。従って、常にＬＣＣＨが受信され、ＬＣＣＨスチール受信は行われない。
【００５１】
以上のように、この実施例３のＬＣＣＨタイミング部３０Ａは、スチールオン信号ＳＯＮが“Ｌ”(オフ)のときは、常にＬＣＣＨのタイミングに合わせてカウンタ３１をリセットするように構成しているので、サービスチャネルによるパケットデータの通信が開始される前に、ＬＣＣＨに確実に同期させることができるという利点がある。
【００５２】
なお、本発明は、上記実施例に限定されず、種々の変形が可能である。この変形例としては、例えば、次のようなものがある。
（ａ）  ＰＨＳの移動局の受信装置を例に説明したが、ＰＨＳに限定するものではなく、間歇的に制御チャネルを受信するＴＤＭＡ方式の無線受信装置に適用することができる。
（ｂ）  通信用と制御用にＵＷとチャネル設定信号を切り換えるように構成したが、必要に応じてこれ以外の制御信号を切り換えるようにすることもできる。
（ｃ）  検出回路２２，２３から出力されるタイミング信号ＴＭ１，ＴＭ２のタイミングは一例であり、適用するＴＤＭＡ方式に応じて最適な状態に設定する必要がある。
（ｄ）  ＬＣＣＨタイミング３０，３０Ａでは、値Ｎと値Ｎ−１を設定する２つのレジスタ３５，３６を設けているが、比較器３３でカウント値Ｃ３１がレジスタ３６の設定値を越えたときにタイミング信号ＴＭ４を出力するように構成すれば、レジスタ３５は不要である。
（ｅ）  図４の選択部５０で切り換える検出信号は、ＵＷ検出部１０、ＣＳＩＤ一致検出部、及びＣＲＣ検出部の検出信号に限定されない。受信データＲＤとして１フレームに１回の割合で周期的に受信される情報の中から、所定の情報を検出したときに出力される情報検出信号であれば良い。
【図面の簡単な説明】
【００５３】
【図１】本発明の実施例１を示す受信装置の概略の構成図である。
【図２】従来の受信回路におけるパケット通信中のＬＣＣＨスチール受信の設定タイミング図である。
【図３】図１の動作を示す信号波形図である。
【図４】本発明の実施例２を示す受信装置の概略の構成図である。
【図５】本発明の実施例３を示すＬＣＣＨタイミング部の構成図である。
【符号の説明】
【００５４】
１    周波数変換部
２    ＰＬＬ
３    復調部
１０    ＵＷ検出部
１１    シフトレジスタ
１２，１３，３５，３６，４１，４２    レジスタ
１４，４３    セレクタ
１５，２５，３８，３９ａ，４４    ＯＲ
１６，３４    一致検出回路
２０    フレーム・タイミング部
２１，３１    カウンタ
２２〜２４    検出回路
３０，３０Ａ    ＬＣＣＨタイミング部
３２    ０検出回路
３３    比較回路
３７    ＡＮＤ
３９ｂ    インバータ
４０    ＰＬＬ制御回路
４５    ラッチ
５０    選択部
【図１】
2008154191.tif 000003
【図２】
2008154191.tif 000004
【図３】
2008154191.tif 000005
【図４】
2008154191.tif 000006
【図５】
2008154191.tif 000007